(57)【特許請求の範囲】
【請求項１】
画像自動印刷指定フォーマットに基づき、記録媒体に対して画像データを記録または読み出し可能な画像処理装置であって、
前記記録媒体に記録された画像データ中から印刷すべき画像データを指定する指定手段と、
前記指定手段により指定された画像データに組み合わせる加工データを選択する選択手段と、
画像データと加工データとを合成した画像を表示する表示手段と、
表示された合成画像を操作者が許容し、更なる画像データと加工データの選択操作を終了した場合に、前記指定手段により指定された画像データと前記選択手段により選択された加工データとの組み合わせの情報を前記画像自動印刷指定フォーマットに基づいたファイルとして前記記録媒体に記録する制御手段と、を有することを特徴とする画像処理装置。
【請求項２】
前記画像自動印刷指定フォーマットに基づいたファイルは、ＤＰＯＦファイルであることを特徴とする請求項１記載の画像処理装置。
【請求項３】
前記記録媒体中で印刷指定された写真画像１枚毎に異なる加工データを選択する第１の選択モードと、
前記記録媒体中で印刷指定された複数の画像に対し、一括して共通する加工データを選択する第２の選択モードと、
前記記録媒体に記録された全ての写真画像に対し、一括して共通する加工データを選択する第３の選択モードと、
前記第１、第２、第３の選択モードを切り替える切り替え手段とを備えたことを特徴とする請求項１に記載の画像処理装置。
【請求項４】
画像自動印刷指定フォーマットに基づき、記録媒体に対して画像データを記録または読み出し可能な画像処理装置の制御方法であって、
前記記録媒体に記録された画像データ中から印刷すべき画像データを指定する指定ステップと、
前記指定ステップにより指定された画像データに組み合わせる加工データを選択する選択ステップと、
画像データと加工データとを合成した画像を表示する表示ステップと、
表示された合成画像を操作者が許容し、更なる画像データと加工データの選択操作を終了した場合に、前記指定ステップにより指定された画像データと前記選択ステップにより選択された加工データとの組み合わせの情報を前記画像自動印刷指定フォーマットに基づいたファイルとして前記記録媒体に記録するステップと、
を有することを特徴とする画像処理装置の制御方法。
【請求項５】
前記画像自動印刷指定フォーマットに基づいたファイルは、ＤＰＯＦファイルであることを特徴とする請求項４記載の画像処理装置の制御方法。
【請求項６】
前記記録媒体中で印刷指定された写真画像１枚毎に異なる加工データを選択する第１の選択ステップと、
前記記録媒体中で印刷指定された複数の画像に対し、一括して共通する加工データを選択する第２の選択ステップと、
前記記録媒体に記録された全ての写真画像に対し、一括して共通する加工データを選択する第３の選択ステップと、
前記第１、第２、第３の選択ステップを切り替える切り替えステップとを備えたことを特徴とする請求項５に記載の画像処理装置の制御方法。
【請求項７】
請求項４〜６のいずれかに記載の画像処理装置の制御方法を実行させるためのプログラムを格納したことを特徴とするコンピュータが読み取り可能な記憶媒体。
【発明の詳細な説明】
【０００１】
【発明の属する技術分野】
本発明は、記録媒体に画像自動印刷指定フォーマットに基づき、画像データを記録または読み出し可能な画像処理装置およびコンピュータが読み取り可能なプログラムを格納した記憶媒体に関するものである。
【０００２】
【従来の技術】
従来、デジタルカメラの画像を印刷するためには下記の様な手続き（１）〜（３）を得る必要があった。
（１）画像のビューワー（ＣＲＴ、波晶モニタなど）、或いはその他の手段を用いて印刷したい画像を選択する。
（２）印刷の方法（画像のレイアウト、印字モードなど）を指定する。
（３）印刷をスタートさせる。
【０００３】
これらの手続きは、デジタルカメラ本体で行われる場合もあれば、デジタルカメラの画像を記録した媒体（スマートメディア、コンパクトフラッシュなど）を介して他の装置、例えば読み取り機能付きのプリンタなどで行われる場合もある。
【０００４】
また、これらの手続きをあらかじめファイル等に記録しておき、そのファイルを指定するだけで画像選択、印刷モード指定などを自動的に行い印刷をする為のフォーマット、例えばＤｉｇｉｔａｌ  Ｐｒｉｎｔ  Ｏｒｄｅｒ  Ｆｉｌｅ  Ｆｏｒｍａｔ（ＤＰＯＦ）も用意されている。
【０００５】
【発明が解決しようとする課題】
しかしながら、上記従来例では、画像の加工手段、及びその手続きをあらかじめ指定して記録しておく手段がない。そのため、もしフォトフレームなどのデータをかぶせたい時など画像の加工手続きが必要な場合は、印刷の度に設定しなければならず、効率が悪いという問題点が指摘されていた。
【０００６】
本発明は、上記の課題を解決するためになされたもので、本発明の目的は、画像データと加工データとから合成される合成画像を操作者が許容した後、更なる画像データと加工データの選択操作を終了した場合に、前記指定手段により指定された画像データと前記選択手段により選択された加工データとの組み合わせの情報を前記画像自動印刷指定フォーマットに基づいたファイルとして前記記録媒体に記録することにより、画像自動印刷指定フォーマットに従い自動印刷する際に、前記組み合わせの情報に従い記録媒体から読み出される画像データと指定された加工データとに従い画像加工処理された印刷結果を出力することができる操作性に優れ、利便性の高い画像処理システムを構築することができる仕組みを提供することである。
【０００７】
【課題を解決するための手段】
本発明に係る画像処理装置は、以下の特徴的構成を備える。
画像自動印刷指定フォーマットに基づき、記録媒体に対して画像データを記録または読み出し可能な画像処理装置であって、前記記録媒体に記録された画像データ中から印刷すべき画像データを指定する指定手段と、前記指定手段により指定された画像データに組み合わせる加工データを選択する選択手段と、画像データと加工データとを合成した画像を表示する表示手段と、表示された合成画像を操作者が許容し、更なる画像データと加工データの選択操作を終了した場合に、前記指定手段により指定された画像データと前記選択手段により選択された加工データとの組み合わせの情報を前記画像自動印刷指定フォーマットに基づいたファイルとして前記記録媒体に記録する制御手段と、を有することを特徴とする。
【０００８】
本発明に係る画像処理装置の制御方法は、以下の特徴的構成を備える。
画像自動印刷指定フォーマットに基づき、記録媒体に対して画像データを記録または読み出し可能な画像処理装置の制御方法であって、前記記録媒体に記録された画像データ中から印刷すべき画像データを指定する指定ステップと、前記指定ステップにより指定された画像データに組み合わせる加工データを選択する選択ステップと、画像データと加工データとを合成した画像を表示する表示ステップと、表示された合成画像を操作者が許容し、更なる画像データと加工データの選択操作を終了した場合に、前記指定ステップにより指定された画像データと前記選択ステップにより選択された加工データとの組み合わせの情報を前記画像自動印刷指定フォーマットに基づいたファイルとして前記記録媒体に記録するステップと、を有することを特徴とする。
【００１５】
【発明の実施の形態】
〔第１実施形態〕
図１は、本発明の第１実施形態を示す画像処理装置の構成を示すブロック図である。
【００１６】
図１において、１００は画像処理装置である。１０は撮影レンズ、１２は絞り機能を備えるシャッタ、１４は光学像を電気信号に変換する撮像素子、１６は前記撮像素子１４のアナログ信号出力をディジタル信号に変換するＡ／Ｄ変換器である。
【００１７】
１８はタイミング発生回路で、撮像素子１４、Ａ／Ｄ変換器１６、Ｄ／Ａ変換器２６にクロック信号や制御信号を供給する。なおタイミング発生回路１８は、メモリ制御回路２２及びシステム制御回路５０により制御される。
【００１８】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１９】
更に、画像処理回路２０においては、撮像した画像データを用いて所定の演算処理を行い、得られた演算結果に基づいてＴＴＬ方式のＡＷＢ（オートホワイトバランス）処理も行っている。
【００２０】
２２はメモリ制御回路であり、Ａ／Ｄ変換器１６、タイミング発生回路１８、画像処理回路２０、画像表示メモリ２４、Ｄ／Ａ変換器２６  メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
画像表示部２８を用いて撮像した画像データを逐次表示すれば、電子ファインダ機能を実現することが可能である。
【００２２】
また、画像表示部２８は、シズテム制御回路５０の指示により任意に表示をＯＮ／ＯＦＦすることが可能であり、表示をＯＦＦにした場合には画像処理装置１００の電力消費を大幅に低減することができる。
【００２３】
更に、画像表示部２８は、回転可能なヒンジ部によって画像処理装置１００本体と結合されており、自由な向き、角度を設定して電子ファインダ機能や再生表示機能、各種表示機能を使用することが可能である。
【００２４】
また、画像表示部２８の表示部分を画像処理装置１００に向けて格納することが可能であり、この場合は画像表示部開閉検知手段１０６により、格納状態を検知して画像表示部２８の表示動作を停止することができる。
【００２５】
３０は撮影した静止画像や動画像を格納するためのメモリであり、所定枚数の静止画像や所定時間の動画像を格納するのに十分な記憶量を備えている。
【００２６】
これにより、複数枚の静止画像を連続して撮影する連写撮影やパノラマ撮影の場合にも、高速かつ大量の画像書き込みをメモリ３０に対して行うことが可能となる。
【００２７】
また、メモリ３０はシステム制御回路５０の作業領域としても使用することが可能である。
【００２８】
３２は適応離散コサイン変換（ＡＤＣＴ）等により画像データを圧縮伸長する圧縮・仲長回路であり、メモリ３０に格納された画像を読み込んで圧縮処理或いは伸長処理を行い、処理を終えたデータをメモリ３０に書き込む。
【００２９】
４０は露光制御部で、絞り機能を備えるシャッタッシュ４８と連携することによりフラッシュ４８と連携することによりフラッシュ調光機能も有するものである。４２は前記撮影レンズ１０のフォーカシングを制御する測距制御手段である。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３０】
４４は前記撮影レンズ１０のズーミングを制御するズーム制御手段、４６はバリアである保護手段１０２の動作を制御するバリア制御手段である。
【００３１】
４８はコネクタであり、アクセサリーシューとも呼ばれ、フラッシュ装置４００との電気接点や機械的な固定手段も合わせて備えている。５０は、画像処理装置１００全体を制御するシステム制御回路、５２はこのシステム制御回路５０の動作用の定数、変数、プログラム等を記憶するメモリである。
【００３２】
５４は前記システム制御回路５０でのプログラムの実行に応じて、文字、画像、音声等を用いて動作状態やメッセージ等を表示する液晶表示装置、スピーカ等の表示部であり、画像処理装置１００の操作部近辺の視認し易い位置に単数或いは複数個所設置され、例えばＬＣＤやＬＥＤ、発音素子等の組み合わせにより構成されている。
【００３３】
また、表示部５４は、その一部の機能が光学ファインダ１０４内に設置されている。表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、数字による情報表示、記録媒体１５０、１６０の着脱状態表示、通信Ｉ／Ｆ動作表示、日付・時刻表示、記録された画像データの表示、印刷時に画像データに合わせて合成すべきフォトフレームデータの表示等がある。
【００３４】
また、表示部５４の表示内容のうち、光学ファインダ１０４内に表示するものとしては、合焦表示、手振れ警告表示、フラッシュ充電表示、シャッタスピード表示、絞り値表示、露出補正表示等がある。
【００３５】
５６は電気的に消去・記録可能な不揮発性メモリであり、例えばＥＥＰＲＯＭ等が用いられる。６０，６２，６４，６６，６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３６】
ここで、これらの操作手段の具体的な説明を行う。
【００３７】
６０はモードダイアルスイッチで、電源オフ、自動撮影モード、撮影モード、バノラマ撮影モード、再生モード、マルチ画面再生・消去モード、ＰＣ接続モード等の各機能モードを切り替え設定することができる。
【００３８】
６２はシャッタスイッチ（ＳＷｌ）で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３９】
６４はシャッタスイッチ（ＳＷ２）で、不図示のシャッタボタンの操作完了でＯＮとなり、撮像素子１４から読み出した信号をＡ／Ｄ変換器１６、メモリ制御回路２２を介してメモリ３０に画像データを含き込む露光処理、画像処理回路２０やメモリ制御回路２２での演算を用いた現像処理、メモリ３０から画像データを読み出し、圧縮・伸長回路３２で圧縮を行い、記録媒体１５０或いは記録媒体１６０に画像データを書き込む記録処理という一連の処理の動作開始を指示する。
【００４０】
６６は画像表示ＯＮ／ＯＦＦスイッチで、画像表示部２８のＯＮ／ＯＦＦを設定することができる。この機能により、光学ファインダ１０４を用いて撮影を行う際に、ＴＦＴ  ＬＣＤ等から成る画像表示部２８への電流供給を遮断することにより、省電力を図ることが可能となる。
【００４１】
６８は単写／連写スイッチで、シャッタスイッチ（ＳＷ２）６４を押した場合に１駒の撮影を行って待機状態とする単写モードとシャッタスイッチ（ＳＷ２）６４を押している間は連続して撮影を行い続ける連写モードとを設定することができる。
【００４２】
７０は各種ボタンやタッチパネル等から成る操作部で、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、音声記録を開始するボタン、パノラマモード等の撮影及び再生を実行する際に各種機能の決定及び実行を設定する決定／実行ボタン、画像表示部２８のＯＮ／ＯＦＦを設定する画像表示０Ｎ／ＯＦＦスイッチ、撮影直後に撮影した画像データを自動再生するクイックレビュー機能を設定するクイジクレビューＯＮ／ＯＦＦスイッチ、ＪＰＥＣ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生モードスイッチ、撮影モード状態において、撮影した画像をメモリ３０或いは記録媒体から読み出して画像表示部２８によって表示する再生動作の開始を指示する再生スイッチ、アクティブなドライブを変更するためのドライブボタン、再生時に１枚表示と複数枚表示とを切り替える再生表示切り替えボタン、記録画像の付帯情報を表示するための情報表示ボタン等がある。
【００４３】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４４】
８２，８４はコネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００４５】
９０及び９４はメモリカードやハードディスク等の記録媒体とのインタフェース（Ｉ／Ｆ）、９２及び９６はメモリカードやハードディスク等の記録媒体と接続を行うコネクタ、９８は前記コネクタ９２或いはコネクタ９６に記録媒体１５０或いは記録媒体１６０が装着されているか否かを検知する記録媒体着脱検知手段である。
【００４６】
なお、本実施形態では記録媒体を取り付けるインタフェース及びコネクタを２系統持つものとして説明している。もちろん、記録媒体を取り付けるインタフェース及びコネクタは、単数或いは複数、何れの系統数を備える構成としても構わない。また、異なる規格のインタフェース及びコネクタを組み合わせて備える構成としても構わない。
【００４７】
インタフェース及びコネクタとしては、ＰＣＭＣＩＡカードやＣＦ（コンパクトフラッシュ）カード等の規格に準拠したものを用いて構成しても構わない。
【００４８】
更に、インタフェース９０及びインタフェース９４、そしてコネクタ９２及びコネクタ９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４９】
１０２は、画像処理装置１００の撮影レンズ１０を含む撮像部を覆うことにより、撮像部の汚れや破損を防止するバリアである保護手段である。
【００５０】
１０４は光学ファインダであり、画像表示部２８による電子ファインダ機能を使用すること無しに、光学ファィンダのみを用いて撮影を行うことが可能である。また、光学ファインダ１０４内には、表示部５４の一部の機能、例えば（合焦表示、手振れ警告表示、フラッシュ充電表示、シャッタスピード表示、絞り値表示、露出補正表示などが設置されている。
【００５１】
１０６は画像表示部開閉検知手段であり、画像表示部２８が、画像表示部２８の表示部分を画像処理装置１００に向けて格納した格納状態にあるかどうかを検知することができる。
【００５２】
ここで、格納状態にあると検知したならば画像表示部２８の表示動作を停止して不要な電力消費を禁止することが可能である。
１１０は通信手段で、ＲＳ２３２−ＣやＵＳＢ、ＩＥＥＥ１３９４、Ｐ１２８４、ＳＣＳＩ、モデム、ＬＡＮ、無線通信、等の各種通信機能を有する。
【００５３】
１１２は前記通信手段１１０により画像処理装置１００を他の機器と接続するコネクタで、無線通信の場合はアンテナとなる。
【００５４】
１５０はメモリカードやハードディスク等の記録媒体であり、記録媒体１５０は、半導体メモリや磁気ディスク等から構成される記録部１６０、画像処理装置１００とのインタフェース１５４、画像処理装置１００と接続を行うコネクタ１５６を備えている。１６０はメモリカードやハードディスク等の記録媒体である。
【００５５】
記憶媒体１６０は、半導体メモリや磁気ディスク等から構成される記録部１６２、画像処理装置１００とのインタフェース１６４、画像処理装置１００と接続を行うコネクタ１６６を備えている。１７４はフラッシュ装置である。１７２は前記画像処理装置１００のアクセサリシューと接続するためのコネクタである。１７４はフラッシュ装置であり、ＡＦ補助光の投光機能、フラッシュ調光機能も有する。
【００５６】
図２は、本発明に係る画像処理装置における第１のデータ処理手順の一例を示すフローチャートである。なお、Ｓ１０１〜Ｓ１０５は各ステップを示す。
【００５７】
まず、ステップＳ１０１で、自動印刷に登録すべき写真を、例えば図１に示した表示部５４に表示された撮影済み画像データを表示しながら操作部７０を操作して選択する。選択する方法としては、例えばビューワを見ながら所望の画像を選ぶなど、そのシステムに準備されたユーザＩ／Ｆを用いた任意の方法を考える事が出来る。
【００５８】
次に、ステップＳ１０２では、あらかじめ用意されたフォトフレームを選択する。選択方法はステップＳ１０１と同様、任意である。
【００５９】
そして、ステップＳ１０３では、選択した写真とフレームの組み合わせが許容されるかどうかをユーザに問いかけている。ここでは、例えば、両者を合成した画像を表示装置に出力したりする事で判断をさせる。
【００６０】
次に、ステップＳ１０４では、画像とフレームの選択操作を更に繰り返す必要があるかどうかを判断する。ここで継続を選んだ場合には、ステップＳ１０１へ戻って、他の画像についても同様の操作を行う。また、終了を選んだ場合は、今まで選択された画像とフレームの組み合わせを、用いる自動印刷フォーマットに合わせてファイル（例えば記録部１５２内のＤＰＯＦファイル）ヘ格納して（Ｓ１０５）、処理を終了する。
【００６１】
なお、フォトフレームはあらかじめ用意されているとしたが、これはシステムに内蔵された記憶手段にあらかじめ固定的に格納されていても良いし、或いは外部媒体から供給されるものでも勿論構わない。
【００６２】
以上、述べた様に、自動印刷したい画像に対し、個別にフレームを対応させる手段を用いる事で、非常に広い範囲の加工手段の組み合わせを得る事が可能となる。
【００６３】
〔第２実施形態〕
本実施形態の特徴は選択された複数の画像に対し、一括して同じフレームを指定する例である。
【００６４】
図３は、本発明に係る画像処理装置における第２のデータ処理手順の一例を示すフローチャートである。なお、Ｓ２０１〜Ｓ２０５は各ステップを示す。
【００６５】
まず、ステップＳ２０１からステップＳ２０２のループにおいて、自動印刷を行うべき複数の画像を上記第１実施形態と同様の操作指示に基づいて選択する。
【００６６】
この選択操作は、この例の様に１枚ずつ画像を選択して追加していく方法の他にも、例えばある規則に従ってソートされた画像の開始位置と終了位置を任意の方法で指定し、そこに含まれる画像を全て選択するという手段によっても行う事が出来る。
【００６７】
次に、ステップＳ２０３では上記で選択された最低一つ以上の画像に対し適用するフォトフレームを上記第１実施形態と同様の操作指示に基づいて選択する。最後に、ステップＳ２０４で、選択した共通フレームをＯＫであるかどうかを判断し、ＯＫでないと判断した場合は、ステップＳ２０１へ戻り、ＯＫであると判断した場合は、ステップＳ２０５で第１実施形態と同じ方法を用いて指定ファイル（例えば記録部１５２内のＤＰＯＦファイル）に格納して、処理を終了する。以上、述べた様に、自動印刷すべき画像を複数選択し、それらに一括してフォトフレームを組み合わせる手段を用いる事で、効率を上げる事が可能である。
【００６８】
〔第３実施形態〕
本実施形態は、全ての写真を一括して自動印刷指定する際に、これらに同じフォトフレーム（共通フォトフレーム）を組み合わせる例である。
【００６９】
図４は、本発明に係る画像処理装置における第３のデータ処理手順の一例を示すフローチャートである。なお、Ｓ３０１〜Ｓ３０３は各ステップを示す。
【００７０】
先ず、ステップＳ３０１では、所望のフレームを上記第１実施形態と同様の操作指示に基づいて選択する。次に、ステップＳ３０２で、選択した内容でＯＫかどうかを判断し、ＯＫでないと判断した場合は、ステップＳ３０１へ戻り、ＯＫであると判断した場合は、ステップＳ３０３で、印刷指定ファイル（例えば記録部１５２内のＤＰＯＦファイル）を上記第１実施形態と同様の操作指示に基づいて格納する。
【００７１】
以上、述べた様に、含まれる画像に全て一括して自動印刷指定出来る手段と、それらに組み合わせるフォトフレームの選択手段を設けた事で、自動印刷指定における効率をあげる事が可能となる。
【００７２】
尚、第１〜第３実施形態が同時に実装されている場合は、これらのモードを切り替える手段を付け加えても良い。
【００７３】
また、自動印刷指定を行うかどうかの選択手段を別に設けておく事も可能である。
【００７４】
更に、適用される自動印刷指定としては、いわゆるＤＰＯＦフォーマットも含め、あらゆる種類のものに対応可能な事も付け加えておく。
【００７５】
上記各実施形態によれば、ＤＰＯＦなどの自動印刷フォーマットに対応した印刷指定ファイルを作成する際、少なくとも一つの画像とそれに対応したフォトフレームを選択する手順を設けているので、それらの組み合わせを画像指定と共に記録しておく事で、画像の加工出力を自動化させることが可能となる。これにより、画像出力の効率を高める効果がある。
【００７６】
以下、図５に示すメモリマップを参照して本発明に係る画像処理装置を適用可能な画像処理システムで読み出し可能なデータ処理プログラムの構成について説明する。
【００７７】
図５は、本発明に係る画像処理装置を適用可能な画像処理システムで読み出し可能な各種データ処理プログラムを格納する記憶媒体のメモリマップを説明する図である。
【００７８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００７９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００８０】
本実施形態における図２〜図４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００８１】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００８２】
この場合、記憶媒体から読み出されたプログラムコード自体が本発明の新規な機能を実現することになり、そのプログラムコードを記憶した記憶媒体は本発明を構成することになる。
【００８３】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００８４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８６】
【発明の効果】
以上説明したように、本発明によれば、画像データと加工データとから合成される合成画像を操作者が許容した後、更なる画像データと加工データの選択操作を終了した場合に、前記指定手段により指定された画像データと前記選択手段により選択された加工データとの組み合わせの情報を前記画像自動印刷指定フォーマットに基づいたファイルとして前記記録媒体に記録するので、画像自動印刷指定フォーマットに従い自動印刷する際に、前記組み合わせの情報に従い記録媒体から読み出される画像データと指定された加工データとに従い画像加工処理された印刷結果を出力することができる操作性に優れ、利便性の高い画像処理システムを構築することができる。
【図面の簡単な説明】
【図１】本発明の第１実施形態を示す画像処理装置の構成を示すブロック図である。
【図２】本発明に係る画像処理装置における第１のデータ処理手順の一例を示すフローチャートである。
【図３】本発明に係る画像処理装置における第２のデータ処理手順の一例を示すフローチャートである。
【図４】本発明に係る画像処理装置における第３のデータ処理手順の一例を示すフローチャートである。
【図５】本発明に係る画像処理装置を適用可能な画像処理システムで読み出し可能な各種データ処理プログラムを格納する記憶媒体のメモリマップを説明する図である。
【符号の説明】
５０  システム制御回路
５４  表示部
７０  操作部
１５０  記録媒体
【図１】
0003854795.tif 000002
【図２】
0003854795.tif 000003
【図３】
0003854795.tif 000004
【図４】
0003854795.tif 000005
【図５】
0003854795.tif 000006